(57)【要約】【課題】  シートバック内へのストラップの落ち込みを抑制すると共に、見栄えを良くすることができるシートバックのロック解除装置の提供。【解決手段】  所定の幅を有するストラップ３の上部をシートバック１の頂部１ａに形成されたフィニッシャ１２の開口部１２ａから引き出して露出させ、このストラップ３を開口部１２ａから引き出すことによりシートバック１内に備えたロック機構を解除させてシートバック１の前倒しが可能となるシートバック１のロック解除装置において、トラップ３におけるフィニッシャ１２の開口部１２ａから引き出して露出させた折り重ね部３２の開口部１２ａ付近に該ストラップ３の幅広面から突出するカバー部３３を備える。【選択図】        図２
2009166563.tif 000002
【特許請求の範囲】
【請求項１】
所定の幅を有する操作部の上部をシートバックの頂部に形成された開口部から引き出して露出させ、この操作部を開口部から引き出すことによりシートバック内に備えたロック機構を解除させてシートバックの前倒しが可能となるシートバックのロック解除装置において、
前記操作部における前記開口部から引き出して露出させた部分の前記開口部付近に該操作部の幅広面から突出するカバー部を備えていることを特徴とするシートバックのロック解除装置。
【請求項２】
前記操作部は少なくとも前記開口部から引き出して露出させた部分が柔軟性を有する素材で形成され、
前記操作部の一部をつまんで該つまみ部の基部を縫製することによって前記つまみ部で前記カバー部が構成されていることを特徴とする請求項１に記載のシートバックのロック解除装置。
【請求項３】
前記操作部は少なくとも前記開口部から引き出して露出させた部分が柔軟性を有する素材で上端に折り重ね部を有する二つ折りに形成され、
前記操作部における二つ折りの一方の一部をつまんで該つまみ部の基部を縫製することによって前記つまみ部で前記カバー部が構成されていることを特徴とする請求項１に記載のシートバックのロック解除装置。
【請求項４】
前記操作部は少なくとも前記開口部から引き出して露出させた部分が柔軟性を有する素材で上端に折り重ね部を有する二つ折りに形成され、
前記操作部における二つ折りの一方の一部をつまんで該つまみ部の基部を縫製すると共に、該縫製されたつまみ部の基部側を少し弛ませた状態で前記開口部方向へ折り曲げてその中途部を前記操作部における二つ折りの一方に対し縫製することによって前記縫製されたつまみ部で前記カバー部が構成されていることを特徴とする請求項１に記載のシートバックのロック解除装置。
【発明の詳細な説明】
【技術分野】
【０００１】
本発明は、シートバックのロック解除装置に関する。
【背景技術】
【０００２】
従来、上端に折り重ね部を有する二つ折りで所定の幅を有する操作部としてのストラップの上端をシートバックの頂部に形成された開口部から引き出して露出させ、このストラップを開口部から引き出すことによりシートバック内に備えたロック機構を解除させてシートバックの前倒しが可能になるシートバックのロック解除装置が知られている（例えば、特許文献１参照）。
【特許文献１】特開平１１−１２３９６６号公報
【発明の開示】
【発明が解決しようとする課題】
【０００３】
しかしながら、シートバックの頂部に形成された開口部は、ストラップ組み付けの際に、シートバック内からストラップを開口部に差し込んで外部に引き出す時の作業性を考えて、大きめに形成されている。
【０００４】
このため、特に子供のいたずら等の人為的操作によりストラップが開口部からシートバック内に落ち込んでしまう虞があった。
【０００５】
また、ストラップと開口部との間に形成される隙間からシートバックの内部が見えるため、見栄えが悪いという問題があった。
【０００６】
本発明は、上述のような従来の問題点に着目して成されたもので、シートバック内へのストラップの落ち込みを抑制すると共に、見栄えを良くすることができるシートバックのロック解除装置を提供することを目的としている。
【課題を解決するための手段】
【０００７】
上述の目的を達成するために、本願請求項１に記載のシートバックのロック解除装置は、操作部におけるシートバックの頂部に形成された開口部から引き出して露出させた部分の前記開口部付近に該操作部の幅広面から突出するカバー部を備えていることを特徴とする手段とした。
【発明の効果】
【０００８】
請求項１に記載のシートバックのロック解除装置では、上述のように、操作部における開口部から引き出して露出させた部分の開口部付近に該操作部の幅広面から突出するカバー部を備えている構成としたことで、このカバー部が抵抗となり、シートバック内への操作部の落ち込みを抑制することができるようになる。
【０００９】
また、操作部と開口部との隙間がカバー部で覆われた状態になるため、見栄えをよくすることができるようになる。
【発明を実施するための最良の形態】
【００１０】
以下に、本発明の実施例を図面に基づいて説明する。
【実施例１】
【００１１】
この実施例１のシートバックのロック解除装置は、請求項１〜３に記載の発明に対応する。
【００１２】
図１はこの実施例１のシートバックのロック解除装置を示すロック状態の全体斜視図、図２は図１のＡ１−Ａ１線における断面図、図３は実施例１のシートバックのロック解除装置を示すロック解除状態の全体斜視図である。
【００１３】
この実施例１のシートバックのロック解除装置は、図１に示すように、シートバック１と、ロック及びロック解除機構２と、操作部を構成するストラップ３と、を備えている。
【００１４】
上記シートバック１は、図示を省略したシートクッションに向けて大きく前倒しできるようになっている。
【００１５】
また、シートバック１はその外面が表皮１１で覆われていて、シートバック１の頂部１ａの表皮１１にはシートバック１内に通じる開口部１２ａを有するフィニッシャが取り付けられている。
【００１６】
上記ロック及びロック解除機構２は、シートバック１内部に設けられていて、シートバック１を任意の角度でロックすると共に、そのロック状態を解除する役目をなす。
【００１７】
このロック及びロック解除機構２は、車体側に設けられたストライカ２１に対し係合することにより、シートバック１を起こした状態にロックするロック爪２２と、該ロック爪２２に係合することで該ロック爪２２をストライカ２１に係合させた状態に維持するポール２３と、該ポール２３をロック爪２２に係合させた状態を維持させる方向に付勢するコイルスプリング２４と、該コイルスプリング２４の付勢力に抗してロック爪２２に対するポール２３の係合状態を解除させることによりストライカ２１に対するロック爪２２の係合状態を解除可能な状態に操作する伝達ロッド２５と、ストラップ３によるロック解除操作を伝達ロッド２５に伝えるロック解除操作伝達ロッド２６と、を備えている。
【００１８】
このロック解除操作伝達ロッド２６は、軸受け２６ａに軸支された回転支軸部２６ｂと該回転支軸部２６ｂを中心として回動する回動軸部２６ｃを有し、この回動軸部２６ｃの先端が伝達ロッド２５に対し回動自在に連結されている。
【００１９】
上記ストラップ３はシートバック１のロック状態を解除する操作部を構成するもので、これを引っ張り操作することにより、ロック状態が解除され、シートバック１をシートクッションに向けて大きく前倒しすることができるようになっている。
【００２０】
このストラップ３は、図２にその詳細を示すように、柔軟性を有する素材として所定の幅を有する布製のベルトが用いられ、その両端部を重ねてリング状にし、その下端部付近で上記両端重ね部３０を含む３枚重ね状態で縫製３ａすることによって下端部にリング部３１が形成されている。
【００２１】
そして、このリング部３１にロック解除操作伝達ロッド２６の回動軸部２６ｃを挿通する状態でストラップ３の下端がロック及びロック解除機構２に連結されている。
【００２２】
また、ストラップ３における上端側の二つ折りの折り重ね部３２は、フィニッシャ１２の開口部１２ａからシートバック１の外部へ引き出した状態に組み付けられる。
【００２３】
この二つ折りの折り重ね部３２における開口部１２ａから引き出して露出させた部分の開口部１２ａ付近には、該二つ折りの折り重ね部３２の幅広面から突出するカバー部３３が備えられている。
【００２４】
この実施例１では折り重ね部３２における二つ折りの折り重ね部３２の一方の一部をつまんで該つまみ部の基部を縫製３ｂすることによって、このつまみ部で上記カバー部３３を構成させている。
【００２５】
次に、実施例１の作用・効果について説明する。
【００２６】
この実施例１のシートバックのロック解除装置では、上述のように構成されるため、まず、ストラップ３における下端のリング部３１にロック解除操作伝達ロッド２６の回動軸部２６ｃを挿通する状態でストラップ３の下端をロック及びロック解除機構２に連結する。
【００２７】
次に、フィニッシャ１２が取り付けられた表皮１２をシートバック１に被せ、シートバック１内からフィニッシャ１２の開口部１２ａにストラップ３の上端側の折り重ね部３２を差し込む。
そして、開口部１２ａから出た折り重ね部３２の上端をつまみ、コイルスプリング２４の付勢力に抗してカバー部３３をシートバック１の頂部１ａの上方へ引き出す（図３参照）。
【００２８】
次に、折り重ね部３２をつまんだ手を離すと、図１、２に示すように、コイルスプリング２４の付勢力で、カバー部３３がフィニッシャ１２の開口部１２ａ付近まで下降する。
これにより、カバー部３３がストラップ３と開口部１２ａとの間の隙間Ｗを覆う状態でストラップ３の組み付けが完了する。
【００２９】
以上詳細に説明してきたように、この実施例１のシートバックのロック解除装置では、上述のように、ストラップ３におけるフィニッシャ１２の開口部１２ａから引き出して露出させた折り重ね部３２の開口部１２ａ付近に該ストラップ３の幅広面から突出するカバー部３３を備えている構成としたことで、このカバー部３３が抵抗となり、シートバック１内へのストラップ３の落ち込みを抑制することができるようになる。
【００３０】
また、ストラップ３と開口部１２ａとの隙間Ｗがカバー部３３で覆われた状態になるため、見栄えをよくすることができるようになる。
という効果が得られる。
【００３１】
また、ストラップ３は少なくとも開口部１２ａから引き出して露出させた部分が柔軟性を有する素材として所定の幅を有する布製のベルトで構成すると共に、ストラップ３の一部をつまんで該つまみ部の基部を縫製３ａすることによってつまみ部でカバー部３３を構成させたことで、シートクッション１内からストラップ３の上端側の折り重ね部３２を開口部１２ａに差し込んでカバー部３３をシートクッション１の外に容易に引き出すことができるようになる。
これにより、組み付け作業の自由度を高めることができるようになる。
【００３２】
また、ストラップ３は少なくとも開口部１２ａから引き出して露出させた部分が柔軟性を有する素材で上端に折り重ね部３２を有する二つ折りに形成されることで、ストラップ３の上端にリング部が形成される。
これにより、このリング部の厚みがストラップ３をつまんで引っ張る時の滑り止め係止部の役目をなす。
【００３３】
また、カバー部３３が、折り重ね部３２の一方の一部をつまんで基部を要請３ｂするのみで構成されるので、カバー部３３として別部材が不要となり、安価にカバー部３３を実現することができる。
【００３４】
次に、他の実施例について説明する。この他の実施例の説明にあたっては、前記実施例１と同様の構成部分については図示を省略し、もしくは同一の符号を付けてその説明を省略し、相違点についてのみ説明する。
【実施例２】
【００３５】
この実施例２のシートバックのロック解除装置は、請求項４に記載の発明に対応する。
【００３６】
図４は実施例２のシートバックのロック解除装置を示す要部断面図、図５は実施例２のシートバックのロック解除装置を示す作用説明図である。
【００３７】
この実施例２のシートバックのロック解除装置は、図４に示すように、まず、ストラップ３における二つ折りの折り重ね部３２の一方の一部をつまんで該つまみ部の基部を縫製３ｃする。
【００３８】
次いで、該縫製３ｃされたつまみ部の基部側を少し弛ませた状態で開口部１２ａ方向へ折り曲げてその中途部をストラップ３における折り重ね部３２の一方に対し縫製３ｄすることによって縫製３ｄされたつまみ部でカバー部３３が構成され、その上部に弛み部３４が形成されている点で、上記実施例１とは相違したものである。
【００３９】
従って、この実施例２では、開口部１２ａ付近に該ストラップ３の幅広面から突出するカバー部３３を備えることで、上記実施例１と同様の効果が得られる。  さらに、この実施例２では、カバー部３３の上部に両縫製３ｃ、３ｄによる弛み部３４が形成されるため、図４の状態からストラップ３を開口部１２ａ内に押し込もうとしても、図５に示すように、弛み部３４の存在でカバー部３３が上向きに折れ曲がるのが阻止される。
従って、シートバック１内へのストラップ３の落ち込み抑制効果をさらに高めることができるようになるという追加の効果が得られる。
【００４０】
以上、本発明の実施例を図面に基づき説明してきたが、本発明は上述の実施例に限られるものではなく、本発明の要旨を逸脱しない範囲の設計変更等があっても、本発明に含まれる。
【００４１】
例えば、実施例では、折り重ね部３２における二つ折りの折重ね部３２の一方の一部をつまんで該つまみ部の基部を縫製３ｂすることによって、このつまみ部で上記カバー部３３を構成させたが、ストラップ３とは別部材でカバー部を構成させるようにしてもよい。
また、布製のベルトは一重であってもよい。
【００４２】
また、実施例では、柔軟性を有する素材として所定の幅を有する布製のベルトを用いたが、ストラップ３の素材は任意である。
【図面の簡単な説明】
【００４３】
【図１】実施例１のシートバックのロック解除装置を示すロック状態の全体斜視図である。
【図２】図１のＡ１−Ａ１線における断面図である。
【図３】実施例１のシートバックのロック解除装置を示すロック解除状態の全体斜視図である。
【図４】実施例２のシートバックのロック解除装置を示す要部断面図である。
【図５】実施例２のシートバックのロック解除装置を示す作用説明図である。
【符号の説明】
【００４４】
１  シートバック
１ａ  シートバックの頂部
１１  表皮
１２  フィニッシャ
１２ａ  開口部
２  ロック及びロック解除機構
２１  ストライカ
２２  ロック爪
２３  ポール
２４  コイルスプリング
２５  伝達ロッド
２６  ロック解除操作伝達ロッド
２６ａ  軸受け
２６ｂ  回転支軸部
２６ｃ  回動軸部
３  ストラップ（操作部）
３ａ  縫製
３ｂ  縫製
３０  両端重ね部
３１  リング部
３２  折り重ね部
３３  カバー部
Ｗ  隙間
【図１】
2009166563.tif 000003
【図２】
2009166563.tif 000004
【図３】
2009166563.tif 000005
【図４】
2009166563.tif 000006
【図５】
2009166563.tif 000007